(57)【要約】【課題】照明システムにおいて、一般のユーザが照明機器の点灯状態を変化させるシーン設定情報を対象エリアをイメージしながら直感的に行なうことができるようにする。【解決手段】照明システム１は、照明機器２と、照明機器２のコントローラ３と、を備える。コントローラ３は、表示部３１と、属性情報を記憶する記憶部３２と、を備える。記憶部３２は、属性情報として、照明機器が配された対象エリアを含むエリア情報と、対象エリアにおける照明機器２の識別情報と、照明機器２の点灯条件に関する点灯情報と、所定の照明機器２の点灯状態を変化させる状態変化パターンに関するシーン設定情報と、を記憶する。制御部３５は、表示部３１に対して、シーン設定情報を示す絵記号を有するシーン操作画面を表示させ、この絵記号がタッチされるとこれに対応するシーン設定情報を選定し、且つ割り当てられた照明機器２の状態変化パターンを図形化して表示させる。【選択図】図３
2014072083.tif 000002
【特許請求の範囲】
【請求項１】
照明機器と、前記照明機器の点灯制御内容を設定するためのコントローラと、を備えた照明システムであって、
前記コントローラは、前記照明機器の属性情報を表示する表示部と、前記表示部と一体化されて操作指示を検知する操作部と、前記操作部により検知された前記操作指示の位置を示す座標情報を取得する入力処理部と、前記属性情報を記憶する記憶部と、前記照明機器へ向けて該照明機器の属性情報を含む制御信号を送受信する送受信部と、前記入力処理部が取得した前記座標情報に基づいて前記照明機器の点灯を制御するために前記送受信部における前記制御信号の送受信を制御する制御部と、を備え、
前記記憶部は、前記属性情報として、前記照明機器が配された対象エリアを含むエリア情報と、前記対象エリアにおける前記照明機器の識別情報と、前記照明機器の互いに異なる複数の点灯条件に関する点灯情報と、前記対象エリアにおける所定の前記照明機器の点灯状態を変化させる状態変化パターンに関するシーン設定情報と、を記憶し、
前記制御部は、前記表示部に対して、前記記憶部が記憶している前記シーン設定情報を示す絵記号を有するシーン操作画面を表示させ、前記絵記号の前記座標情報が前記入力処理部により検知されると該絵記号に示される前記シーン設定情報を選定し、且つ該シーン設定情報に割り当てられた前記照明機器の前記状態変化パターンを図形化して表示させ、
前記照明機器は、前記コントローラと送受信した前記制御信号のうち、前記識別情報に基づいて自身が制御対象であるか否かを判定し、前記状態変化パターンに従って点灯することを特徴とする照明システム。
【請求項２】
前記記憶部は、前記照明機器の２種の点灯条件に関する点灯情報を互いに対応づけて規定した第１の点灯条件カーブを記憶しており、
前記制御部は、前記操作指示により前記照明機器の一方の点灯条件が選定されると、前記第１の点灯条件カーブに従って他方の点灯条件を自動的に選定することを特徴とする請求項１に記載の照明システム。
【請求項３】
前記２種の点灯条件に関する点灯情報は、前記照明機器の調光率情報及び色温度情報であることを特徴とする請求項２に記載の照明システム。
【請求項４】
前記記憶部は、前記状態変化パターンに関するシーン設定情報に基づいて前記照明機器を点灯させるまでの移行時間と、前記照明機器の２種の点灯条件のいずれか一方に関する点灯情報と、を対応づけて規定した第２の点灯条件カーブを記憶しており、
前記制御部は、前記操作指示により前記移行時間が確定されると、前記第２の点灯条件カーブに従って前記照明機器の一方の点灯条件を選定し、且つ前記第１の点灯条件カーブに従って他方の点灯条件を自動的に選定することを特徴とする請求項２又は請求項３に記載の照明システム。
【請求項５】
前記入力処理部は、前記操作部により検知された前記操作指示位置の接触時間を計測し、
前記制御部は、前記シーン操作画面において前記操作指示により再生対象となるシーン設定情報を示す絵記号を接触する接触時間に応じて、前記移行時間を変更することを特徴とする請求項４に記載の照明システム。
【請求項６】
前記コントローラは、該コントローラの向き状態を検知する向きセンサを更に備え、
前記入力処理部は、前記操作部により検知された前記操作指示位置の接触時間を計測し、
前記制御部は、前記シーン操作画面において前記操作指示により再生対象となるシーン設定情報を示す絵記号を接触する接触時間と、前記向きセンサが検知した前記コントローラの向きに応じて、前記移行時間を変更することを特徴とする請求項４に記載の照明システム。
【請求項７】
前記制御部は、前記向きセンサが検知した前記コントローラの向きに応じて、前記表示部に対して、前記シーン操作画面に含まれる前記シーン操作情報を示す絵記号の配列方向を変化させることを特徴とする請求項６に記載の照明システム。
【請求項８】
前記入力処理部は、前記操作部により検知された前記操作指示の移動距離及び移動速度を計測し、
前記制御部は、前記表示部に対して、前記シーン操作画面において、前記操作指示の移動距離及び移動速度に応じて、前記シーン設定情報を示す絵記号をスクロール表示させることを特徴とする請求項１乃至請求項６のいずれか一項に記載の照明システム。
【請求項９】
前記制御部は、前記表示部に対して、前記シーン操作画面において、前記操作指示が前記シーン設定情報を示す絵記号又はその絵記号周辺に選択されると、該絵記号を前記シーン操作画面の中央に配置してハイライト表示させることを特徴とする請求項１乃至請求項８のいずれか一項に記載の照明システム。
【請求項１０】
前記記憶部は、前記シーン設定情報を示す絵記号の選定回数を記憶し、
前記制御部は、前記表示部に対して、前記記憶部が記憶した前記シーン設定情報を示す絵記号の選定回数に応じて、該絵記号を前記シーン操作画面に優先的に表示させることを特徴とする請求項１乃至請求項９のいずれか一項に照明システム。
【請求項１１】
前記制御部は、前記表示部に対して、前記エリア情報及び前記識別情報を図形化した第１の図形を有する第１の操作画面と、前記点灯情報を図形化した第２の図形を有する第２の操作画面と、を夫々２次元的又は３次元的に表示させ、前記第１の操作画面において前記操作部上の操作指示により制御対象となる照明機器が選定されると、選定された照明機器に対応する前記第２の図形を有する前記第２の操作画面を、前記第１の操作画面に重畳させるようにダイアログ表示させ、前記第２の操作画面において前記照明機器の点灯情報が選定されると、前記第１の操作画面において前記照明機器の識別情報及びその周囲のエリアに相当するエリア情報を示す第１の図形を、前記選定された点灯情報が反映されるようにハイライト表示させることを特徴とする請求項１乃至請求項１０のいずれか一項に記載の照明システム。
【発明の詳細な説明】
【技術分野】
【０００１】
本発明は、コントローラにより設定される制御内容に従って複数の照明機器を制御する照明システムに関する。
【背景技術】
【０００２】
従来から、室内に設けられた複数の照明機器の光度や、屋内の各位置における照度等を、使用目的に応じて任意に設定し、照明によるシーン演出を行なうための照明設定装置が知られている。このようなシーン演出を行なうために、複数の照明機器の夫々に接続された調光器に対して対応付けされたチャンネル毎に、所定の調光制御信号の出力レベルを設定する複数のフェーダを備えた調光操作卓が用いられている（例えば、特許文献１参照）。
【０００３】
ところが、上記特許文献１に記載された調光操作卓は、各照明機器とフェーダとの対応関係が分かり難く、操作が複雑であった。そこで、各照明機器の点滅状況や光度設定状況を表示する表示部に、液晶タッチパネルのような、使用者の操作指示を検知できる表示装置を用い、各照明機器の点滅や光度設定を操作できるようにした照明設定装置がある（例えば、特許文献２参照）。
【先行技術文献】
【特許文献】
【０００４】
【特許文献１】特開２０００−３１１７９１号公報
【特許文献２】特開２００６−２７７９７２号公報
【発明の概要】
【発明が解決しようとする課題】
【０００５】
しかしながら、上記特許文献２に記載された照明設定装置は、屋内の天井に配された複数の照明器具の光度を設定する際に用いられるものであり、例えば、一般住宅のリビング照明に用いられることが想定されていない。一般住宅における照明機器は、天井だけでなく、壁や床等、様々な場所に配され、照明機器の形状や照明光の光色等も様々である。また、近年では、発光色が異なる複数種のＬＥＤや有機ＥＬ素子等を用いた色温度可変型の照明器具が普及しており、照明光の明るさ（調光率）だけでなく、色温度も設定パラメータとなり得る。しかし、上記特許文献２に記載の照明制御システムでは、主として調光率に関するスケジュールを表示するので、色温度については対応していない。そのため、一般のユーザが、複数の照明機器について、例えば、調光率や色温度といった複数の点灯状態を時間の経過とともに変化させるシーン設定を行なうことが容易にできない。
【０００６】
本発明は、上記課題を解決するものであり、一般ユーザが、照明機器の点灯状態を変化させるシーン設定情報を、照明機器が配された対象エリアをイメージしながら直感的に設定することができる照明システムを提供することを目的とする。
【課題を解決するための手段】
【０００７】
上記課題を解決するため、本発明は、照明機器と、前記照明機器の点灯制御内容を設定するためのコントローラと、を備えた照明システムであって、前記コントローラは、前記照明機器の属性情報を表示する表示部と、前記表示部と一体化されて操作指示を検知する操作部と、前記操作部により検知された前記操作指示の位置を示す座標情報を取得する入力処理部と、前記属性情報を記憶する記憶部と、前記照明機器へ向けて該照明機器の属性情報を含む制御信号を送受信する送受信部と、前記入力処理部が取得した前記座標情報に基づいて前記照明機器の点灯を制御するために前記送受信部における前記制御信号の送受信を制御する制御部と、を備え、前記記憶部は、前記属性情報として、前記照明機器が配された対象エリアを含むエリア情報と、前記対象エリアにおける前記照明機器の識別情報と、前記照明機器の互いに異なる複数の点灯条件に関する点灯情報と、前記対象エリアにおける所定の前記照明機器の点灯状態を変化させる状態変化パターンに関するシーン設定情報と、を記憶し、前記制御部は、前記表示部に対して、前記記憶部が記憶している前記シーン設定情報を示す絵記号を有するシーン操作画面を表示させ、前記絵記号の前記座標情報が前記入力処理部により検知されると該絵記号に示される前記シーン設定情報を選定し、且つ該シーン設定情報に割り当てられた前記照明機器の前記状態変化パターンを図形化して表示させ、前記照明機器は、前記コントローラと送受信した前記制御信号のうち、前記識別情報に基づいて自身が制御対象であるか否かを判定し、前記状態変化パターンに従って点灯することを特徴とする。
【０００８】
上記照明システムにおいて、前記記憶部は、前記照明機器の２種の点灯条件に関する点灯情報を互いに対応づけて規定した第１の点灯条件カーブを記憶しており、前記制御部は、前記操作指示により前記照明機器の一方の点灯条件が選定されると、前記第１の点灯条件カーブに従って他方の点灯条件を自動的に選定することが好ましい。
【０００９】
上記照明システムにおいて、前記２種の点灯条件に関する点灯情報は、前記照明機器の調光率情報及び色温度情報であることが好ましい。
【００１０】
上記照明システムにおいて、前記記憶部は、前記状態変化パターンに関するシーン設定情報に基づいて前記照明機器を点灯させるまでの移行時間と、前記照明機器の２種の点灯条件のいずれか一方に関する点灯情報と、を対応づけて規定した第２の点灯条件カーブを記憶しており、前記制御部は、前記操作指示により前記移行時間が確定されると、前記第２の点灯条件カーブに従って前記照明機器の一方の点灯条件を選定し、且つ前記第１の点灯条件カーブに従って他方の点灯条件を自動的に選定することが好ましい。
【００１１】
上記照明システムにおいて、前記入力処理部は、前記操作部により検知された前記操作指示位置の接触時間を計測し、前記制御部は、前記シーン操作画面において前記操作指示により再生対象となるシーン設定情報を示す絵記号を接触する接触時間に応じて、前記移行時間を変更することが好ましい。
【００１２】
上記照明システムにおいて、前記コントローラは、該コントローラの向き状態を検知する向きセンサを更に備え、前記入力処理部は、前記操作部により検知された前記操作指示位置の接触時間を計測し、前記制御部は、前記シーン操作画面において前記操作指示により再生対象となるシーン設定情報を示す絵記号を接触する接触時間と、前記向きセンサが検知した前記コントローラの向きに応じて、前記移行時間を変更することが好ましい。
【００１３】
上記照明システムにおいて、前記制御部は、前記向きセンサが検知した前記コントローラの向きに応じて、前記表示部に対して、前記シーン操作画面に含まれる前記シーン操作情報を示す絵記号の配列方向を変化させることが好ましい。
【００１４】
上記照明システムにおいて、前記入力処理部は、前記操作部により検知された前記操作指示の移動距離及び移動速度を計測し、前記制御部は、前記表示部に対して、前記シーン操作画面において、前記操作指示の移動距離及び移動速度に応じて、前記シーン設定情報を示す絵記号をスクロール表示させることが好ましい。
【００１５】
上記照明システムにおいて、前記制御部は、前記表示部に対して、前記シーン操作画面において、前記操作指示が前記シーン設定情報を示す絵記号又はその絵記号周辺に選択されると、該絵記号を前記シーン操作画面の中央に配置してハイライト表示させることが好ましい。
【００１６】
上記照明システムにおいて、前記記憶部は、前記シーン設定情報を示す絵記号の選定回数を記憶し、前記制御部は、前記表示部に対して、前記記憶部が記憶した前記シーン設定情報を示す絵記号の選定回数に応じて、該絵記号を前記シーン操作画面に優先的に表示させることが好ましい。
【００１７】
上記照明システムにおいて、前記制御部は、前記表示部に対して、前記エリア情報及び前記識別情報を図形化した第１の図形を有する第１の操作画面と、前記点灯情報を図形化した第２の図形を有する第２の操作画面と、を夫々２次元的又は３次元的に表示させ、前記第１の操作画面において前記操作部上の操作指示により制御対象となる照明機器が選定されると、選定された照明機器に対応する前記第２の図形を有する前記第２の操作画面を、前記第１の操作画面に重畳させるようにダイアログ表示させ、前記第２の操作画面において前記照明機器の点灯情報が選定されると、前記第１の操作画面において前記照明機器の識別情報及びその周囲のエリアに相当するエリア情報を示す第１の図形を、前記選定された点灯情報が反映されるようにハイライト表示させることが好ましい。
【発明の効果】
【００１８】
本発明によれば、コントローラの表示部に表示されたシーン操作画面において、シーン設定情報を示す絵記号に対して操作指示がなされると、所定のシーン設定情報が選定され、表示部には割り当てられた照明機器の状態変化パターンが図形化して表示される。そのため、一般ユーザであっても、シーン設定情報を示す絵記号を操作するだけで、シーン設定を、照明機器が配された対象エリアをイメージしながら直感的に行なうことができる。
【図面の簡単な説明】
【００１９】
【図１】本発明の一実施形態に係る照明システムの構成を示す一点投影図。
【図２】同照明システムに用いられるコントローラの正面図。
【図３】同照明システムのブロック構成図。
【図４】同照明システムのコントローラに表示される第１の操作画面を説明する図。
【図５】同コントローラに表示される第１の操作画面に重畳された第２の操作画面を説明する図。
【図６】同照明システムにおけるコントローラ及び照明機器のデータ送受信の動作例を示すフローチャート。
【図７】同照明システムにおける制御器を介したデータ送受信の動作例を示すフローチャート。
【図８】同照明システムにおける制御器を介したデータ送受信の他の動作例を示すフローチャート。
【図９】同コントローラに表示されるメインメニュー画面を説明する図。
【図１０】同コントローラに表示されるシーン操作画面（第３の操作画面）を説明する図。
【図１１】同コントローラに表示されるシーン操作画面をスクロールさせた状態を説明する図。
【図１２】同コントローラの向きを変えたときのシーン操作画面を説明する図。
【図１３】（ａ）は同コントローラに記憶された第２の点灯条件カーブを示す図、（ｂ）は第１の点灯条件カーブを示す図。
【図１４】（ａ）はシーン名称、各シーン設定情報に割り当てられた第２の点灯条件カーブ及び標準移行時間を示す図、（ｂ）はシーン設定情報に関する対象エリア、識別情報、及び点灯情報を示す図。
【図１５】同照明システムにおけるコントローラ及び照明機器のデータ送受信の動作例を示すフローチャート。
【図１６】同コントローラに表示される第１の操作画面及びシーン設定情報を示す絵記号を説明する図。
【図１７】（ａ）（ｂ）は、対象エリア（リビング）で再生さるシーン設定情報（くつろぎ）を示す図。
【図１８】（ａ）乃至（ｃ）は、対象エリア（エントランス）で再生さるシーン（ただいま）を示す図。
【図１９】同照明システムにおける制御器を介したデータ送受信の動作例を示すフローチャート。
【図２０】同コントローラに表示されるメインメニュー画面を説明する図。
【図２１】同コントローラに表示される第１の操作画面を説明する図。
【図２２】同コントローラに表示される第１の操作画面に重畳された第２の操作画面（色温度設定）を説明する図。
【図２３】（ａ）（ｂ）は同コントローラに表示される第２の操作画面において、調光率及び色温度に関する点灯情報を対応づけて設定する第２の図形を示す図。
【図２４】同コントローラに表示される第１の操作画面を説明する図。
【図２５】同コントローラに表示される第１の操作画面に重畳された第２の操作画面（ＲＧＢ設定）を説明する図。
【発明を実施するための形態】
【００２０】
本発明の一実施形態に係る照明システムについて、図面を参照して説明する。図１に示すように、照明システム１は、複数の照明機器２ａ〜２ｈ（以下、照明機器２と総称）と、照明機器２の点灯制御内容を設定するためのコントローラ３と、を備える。照明システム１は、一般住宅の屋内や、ビル等の建物内の照明システムとして好適に用いられる。また、本例では、照明システム１は、コントローラ３から送信された制御信号に基づいて、照明機器２を点灯制御する制御器４を備えるが、全ての照明機器２がコントローラ３により制御できる形態にあっては、この制御器４を省くことができる。
【００２１】
照明機器２は、個別の識別情報を有し、コントローラ３により制御対象となる照明機器２の識別情報及びその照明機器２の点灯制御内容（点灯情報）が設定されると、制御対象の照明機器２は、コントローラ３から直接又は制御器４を介して、設定された点灯情報を受信する。識別情報とは、個々の照明機器２を識別し得る情報をいい、照明機器毎に付与された個体識別番号（ＩＤ）に限らず、照明機器２を図形化したアイコンを含む。また、点灯情報は、主として照明光の調光率（光量）及び色温度であり、また、色度、彩度、明度、更に照明機器２の光軸の角度やビーム角も点灯情報に含まれ得る。また、これら照明機器２の識別情報及び点灯情報を総じて照明機器２の属性情報という。
【００２２】
図例の照明機器２ａ〜２ｆは、固定型の照明機器（ダウンライト）であり、天井に埋設される。また、照明機器２ｇ、２ｈは、移動可能型の照明機器であって、床面上に載置されている。各照明機器２は、所定の設置場所に固定される固定型、又は設置場所を変更可能な移動可能型のいずれであってもよい。固定型の照明機器には、図示したダウンライトに限らず、例えば、シーリングライト、ベースライト、スポットライト、ペンダントライト、コーニス照明機器、又はコーブ照明機器等が挙げられる。移動可能型の照明機器には、天井等に固定したレールに沿って移動可能な配線ダクト式スポットライト、又は壁等に固定したレールに沿って上下方向に移動可能な昇降式ペンダントライト等が挙げられる。その他、移動可能型に照明機器には、スタンドライト、ランタン・トーチ、ディプレイ、又はディジタルサイネージ等が挙げられる。また、固定型と移動可能型のいずれにも成り得るものとして、家具又は建築部材内に光源を組み込んで存在感を抑えた同化型照明機器が挙げられる。そのような同化型照明機器においては、光源の組込み対象物に光出射用開口が形成され、その光出射用開口が透明導光板で覆われている。照明機器２の数、各照明機器２の型及び配置は、図示のものに限定されない。
【００２３】
各照明機器２には、形態及び用途に合わせて光学部材又は反射板等が適宜設けられている。光学部材としては、例えば、各種レンズ、プリズム、ルーバ、又はフィルタ等が用いられる。使用されるフィルタは、光拡散、集光、偏光、波長カット、又は波長変換等の機能を有したもののうち、用途に適したものである。光学部材は、透光性プラスチック、ガラス、又は塗装金属板等により構成される。反射板は、光を所望の方向に反射するためのものであって、アルマイト反射板、アルミ蒸着反射板、銀蒸着反射板、樹脂反射板、又はコールドミラー等により構成され、その反射面は鏡面又は光拡散面等に形成されている。各照明機器２には、入力電圧に応じて透過率又は指向性を変化させる、液体若しくは液晶レンズが必要に応じて設けられていてもよい。また、照明機器２は、照明光の光軸の向きを可変とする可動式光学レンズを備えたもの、又は照明機器２自体の向きを変える駆動機構を備えたものであってもよい。更に、例えば、光源部と光学部材との距離を可変とすることで、照明光のビーム角が可変とされていてもよい。
【００２４】
コントローラ３は、屋内の任意の場所に持ち運び自在の端末であり、照明機器２及び制御器４との間で無線通信により所定の制御信号を送受信する。コントローラ３は、画像を表示すると共に、この画像上をユーザが指でタッチすることで操作指示情報を入力可能なタッチパネルを有し、図２に示すように、専用ソフトウェアをインストールしたタブレット又はスマートフォン等の多機能携帯端末が好適に用いられる。コントローラ３のタッチパネルには、後述する照明機器２の属性情報が表示される。なお、コントローラ３には、照明システム１の専用端末が用いられてもよく、また、ゲーム用リモートコントローラ、デジタルカメラ、ＰＤＡ、音楽プレーヤー、ランタン・トーチを代表とするポータブル照明機器、携帯型腕時計等が転用されてもよい。
【００２５】
制御器４は、固定型の照明機器２ａ〜２ｆとは有線又は無線により、移動可能型の照明機器２ｇ、２ｈとは無線により、通信可能とされ、また、コントローラ３とは無線により通信可能とされている。制御器４自体は、図１に示したように、屋内の壁に取り付けられるが、制御器４の後述する操作部（表示部）が壁面から取り外し可能とされたものであってもよい。
【００２６】
図３は、照明システム１のブロック構成例を示す。同図において、構成ブロック間を接続する破線矢印が無線通信を、実線矢印が有線通信を表している。なお、図３に示す照明機器２（Ａ〜Ｄ）は、図１に示した照明機器２ａ〜２ｈとは対応していない。ここでは、照明機器Ａがコントローラ３と無線接続され、照明機器Ｂがコントローラ３及び制御器４と無線接続され、照明機器Ｂがコントローラ３及び制御器４と無線接続され、照明機器Ｃ、Ｄが制御器４と有線接続されている。照明機器Ｄは、特定の送受信部を有していない従来型の照明機器である。また、コントローラ３及び制御器４は、システム内に組み込まれている照明機器２だけでなく、システム外の照明機器２の識別情報に関するデータを保有する外部サーバ５とインターネットを介して接続され、外部サーバ５から各種データをダウンロードすることができる。なお、照明機器２（Ａ〜Ｄ）の制御部２３は、いずれも同様の構成を有する。
【００２７】
コントローラ３は、照明機器２の属性情報を表示する表示部３１と、上記属性情報を記憶する記憶部３２と、照明機器２へ向けてその属性情報を含む制御信号を送受信する送受信部３３と、を備える。表示部３１は、上述したタッチパネルであり、操作指示を検知する操作部が一体化されている。なお、操作部として表示部３１とは別のタッチパネルやボタン式スイッチ等が用いられてもよい。また、コントローラ３は、操作部により検知された操作指示の位置を示す座標情報を取得する入力処理部３４と、上記表示部３１等を駆動し、送受信部３３における制御信号の送受信を制御する制御部３５と、コントローラの向きを検出する向きセンサ３６と、を備える。なお、コントローラ３は、外部電源から所要電力を得る制御電源部及び所定容量のバッテリー（いずれも不図示）を更に備える。
【００２８】
表示部３１は、液晶タッチパネルのようにユーザの指示を検知でき、表示も行える表示装置が好適に用いられる。この表示部３１のタッチパネル（操作部）は、抵抗膜方式又は静電方式等により、表示部３１上に接触するユーザの指先又はペン等により押圧された位置座標を検出し、その位置座標を示す位置座標情報を入力処理部３４に出力する。
【００２９】
記憶部３２は、属性情報として、照明機器２が配された対象エリアを含むエリア情報と、照明機器２の属性情報として対象エリアにおける照明機器２の識別情報と、照明機器２の互いに異なる複数の点灯条件に関する点灯情報と、を記憶する。また、本例における記憶部３２は、照明機器２の点灯状態を時間の経過とともに変化させる状態変化パターンに関するシーン設定情報を記憶する。状態変化パターン及びこれに関するシーン設定情報等の上記各種情報の詳細については、後述する。記憶部３２には、ＥＥＰＲＯＭ等の汎用のメモリが用いられる。
【００３０】
入力処理部３４は、操作部が検知した位置座標情報から、ユーザによる操作指示の位置を示す情報である指示座標情報を取得し、この指示座標情報を制御部３５に出力する。この出力は、表示部３１の表示ドライバから受け付けた指示座標情報を制御部３５に伝達するソフトウェアを用いて行なわれる。指示座標情報は、ｘｙ座標形式の情報であり、上記ソフトウェアは、同時に複数の指示座標情報を制御部３５に伝達する。また、上記ソフトウェアは、操作部が検知した操作指示に基づき、押圧のＯＮ・ＯＦＦ情報、ＯＮからＯＦＦまでの経過時間（接触時間）、ＯＮされた指示座標情報の移動距離及び移動時間といった操作情報を同時に制御部３５に伝達する。具体的には、これらの操作情報により、上記ソフトウェアは、ダブルクリック、長押し（例えば２秒以上）、ドラッグ、及びスクロール等を識別して入力処理する。また、上記指示座標情報に、押圧ＯＮ・ＯＦＦを示す情報が組み込まれていてもよい。例えば、操作指示がｘｙ座標の所定領域外である場合を押圧ＯＦＦと見做し、ｘｙ座標の所定領域内である場合を押圧ＯＮであるとすると、座標表現の中に押圧ＯＮ、ＯＦＦを示す情報を組み込むことができる。
【００３１】
制御部３５は、上記操作指示に基づく入力処理部３４からの制御信号に応じて、コントローラ３の表示部３１の表示生成、及び照明機器２又は制御器４に対して各種制御信号の生成及び送受信制御を行う。この制御部３５は、ＭＰＵ及びメモリ等により構成され、上記メモリに処理プログラムをメモリに記憶しておくことにより実現され得る。制御部３５が、専用のハードウェアによっても実現されていてもよい。
【００３２】
送受信部３３は、無線通信又は有線通信によって、コントローラ３と制御器４との間、及びコントローラ３と照明機器２との間のデータ送受信を行う。送受信されるデータ構造は、「通信コマンド」「照明機器の識別情報」「照明機器の点灯情報（例えば、調光率、色温度）」により構成される。無線通信には、例えば、無線ＬＡＮ（ＷｉＦｉ）であれば、ＵＤＰ通信プロトコルが好適に用いられ、また、可視光通信、赤外線データ通信の規格（ＩｒＤＡ）、ＲＦ（Ｒａｄｉｏ  Ｆｒｅｑｕｅｎｃｙ）、近距離無線通信の規格（ＩＥＥＥ８０２．１５．１）、特定小電力無線等が用いられてもよい。有線通信には、例えば、ＤＡＬＩ、有線ＬＡＮの規格（ＩＥＥＥ８０２．３等）や電力線通信等が用いられる。
【００３３】
向きセンサ３６は、空間におけるコントローラ３の姿勢、すなわちコントローラ３が向いている方位角と傾斜角（仰角）を検知する。この向きセンサ３６は、例えば、地磁気センサ及び加速度センサから構成される。地磁気センサは、コントローラ３が向いている方位を一定時間（例えば１０ｍｓ）毎に計測する。また、コントローラ３は、加速度センサが１０ｍｓごとに検出したセンサ出力値を積算することにより、コントローラ３の傾斜角を特定する。加速度センサには、一軸センサ、二軸センサ又はＸＹＺ三軸センサが用いられる。なお、向きセンサ３６として、地磁気センサ及び加速度センサに替えて、ジャイロセンサを用いてもよい。ジャイロセンサは、コントローラ３の姿勢の変化に起因する角速度の変化を検出する。コントローラ３が向いている方位及び傾斜角、すなわちリモコンの方向角は、角速度の変化を積算することによって特定される。この場合、ジャイロセンサには、例えば、ガスレートジャイロセンサ、回転型ジャイロセンサ、振動型ジャイロセンサ、光ファイバジャイロセンサ等が用いられる。また、ジャイロセンサが複数用いられてもよい。
【００３４】
コントローラ３の制御部３５は、表示部３１に対して、エリア情報及び照明機器２の識別情報を図形化した第１の図形を有する第１の操作画面と、照明機器２の点灯情報を図形化した第２の図形を有する第２の操作画面と、を夫々２次元的又は３次元的に表示させる。図４は、表示部３１が、第１の操作画面を３次元的に表示した画像を示す。また、表示部３１は、第１の操作画面においてユーザの操作指示により制御対象となる照明機器２が選定されると、図５に示すように、選定された照明機器２に対応する第２の図形を有する第２の操作画面を、第１の操作画面に重畳させるようにダイアログ表示する。
【００３５】
第１の図形に関する情報は、エリア情報にあたる照明空間の１点投影図と、照明機器２の識別情報にあたる単数又は複数の照明機器の図柄を示すビットマップやスクリプト（例えば、ＰｓｏｔＳｃｒｉｐｔ）と、を含む。図４に示される第１の図形は、図１に示した照明システム１内の照明機器２ａ〜２ｈのｘｙｚ座標系を、照明機器２が配された部屋の３次元空間上に配置した図形である。部屋の３次元空間上に配置した図形、つまりエリア情報を示す第１の図形には、床、壁、天井に限らず、机、棚、家電等が含まれる。これらの図形は、例えば、ユーザが照明機器２が配された空間の静止画を撮像し、この静止画をフラッシュメモリ等を用いた種々の情報輸送端末を介してコントローラ３に取り込まれる。また、上述した外部サーバ５（図３参照）から、空間イメージ図や、棚や家具等のイラスト、３Ｄ−ＣＡＤ画像データをダウンロードして上記図形として用いることもできる。エリア情報を示す第１の図形は、制御対象となる照明空間のイメージを使用者にナビゲートできれば、例えば、後述する２次元の間取り図データであってもよく、この場合、第１の図形は、照明機器２を２次元平面（間取り図）上に配置した図形となる。なお。第１の図形のデータ構造は、上記の例に限られない。例えば、照明機器２の識別情報にあたる第１の図形は、照明機器２の大きさ、形状等に応じた図形として描かれていることが望ましい。
【００３６】
第２の図形に関する情報は、図５に示すように、例えば、操作用のメニューやメニュー項目を示す図柄によって表される。この第２の図形も、ビットマップや、ＨＴＭＬ、ＸＭＬ等のスクリプト等であり、そのデータ構造は問わない。また、記憶部３２には、第２の図形に対して取得される指示座標と、複数の属性情報を関係付けた記憶テーブルが記憶されていてもよい。なお、図５は、第２の図形として、操作指示のためのコントロールボタンと、照明機器２の点灯条件を規定するテーブルが表示された例を示す。上記テーブルには、照明機器の２種の点灯条件、ここでは、調光率と色温度に関する点灯情報を互いに対応づけて規定した第１の点灯条件カーブ（調光調色カーブ）が示されている。なお、ここでは、調光率及び色温度といった２つの点灯情報を対応づけた調光調色カーブが描かれた色温度テーブル（第２の図形）を例に挙げたが、これに限られない。例えば、光の照射範囲を可変とした照明機器２が用いられる場合、点灯ビーム角といった上記以外の点灯情報を、上記点灯情報（調光率及び色温度）と対応づけてもよい。この第２の図形を有する第２の操作画面を用いた、操作指示の詳細手順については後述する。
【００３７】
照明機器２の構成について、再び図３を参照して説明する。照明機器２は、光源部２１と、コントローラ３からの制御信号を受信する送受信部２２と、送受信部２２が受信した制御信号に含まれる点灯情報に従って光源部２１を点灯させる制御部２３と、を備える。光源部２１は、発光色が異なる複数種のＬＥＤ等の発光体を組み合わせることにより、照射光の色温度が可変となるように構成される。送受信部２２は、無線通信又は有線通信によって、コントローラ３又は制御器４との間でデータ送受信を行なう。この送受信部２２には、コントローラ３の送受信部３３等に対応する構成が用いられる。
【００３８】
本例において、光源部２１は、赤色系（Ｒ）、緑色系（Ｇ）、青色系（Ｂ）の３色の発光素子（発光ダイオード）Ｒ，Ｇ，Ｂを有している。なお、３色の発光素子は発光ダイオード以外の発光素子、例えば、有機ＥＬ素子、無機ＥＬ素子、蛍光灯、ＨＩＤ、白熱灯、ＬＥＤ電球であってもよい。これら発光素子Ｒ，Ｇ，Ｂの光量ＹＲ，ＹＧ，ＹＢの比率を変化させることにより、それらを混色として得られる照明光の光色を変えることができる。また、上記光量ＹＲ，ＹＧ，ＹＢの比率を保った状態で、光量ＹＲ，ＹＧ，ＹＢを変化させれば、同一の光色において照明光の光量を変えることができる。発光ダイオードは、給電量（各発光素子を流れる電流）に応じて発光量が決まる。従って、制御部２３から各発光素子Ｒ，Ｇ，Ｂに供給する給電量（電流）を増減することで、照明光の光色及び光量を調節することができる。また、照明光の色度が黒体軌跡にほぼ沿って変化するように、照明光源の各発光素子Ｒ，Ｇ，Ｂの光量ＹＲ，ＹＧ，ＹＢを決定することにより、照明光の光色を、色温度に基づいて指定することもできる。
【００３９】
光源部２１に用いられる各発光素子Ｒ，Ｇ，Ｂは、それらのサイズに応じて、適宜の数がパッケージ内に配置される。また、光源部２１は、その周縁に筺体や光透過パネルが配設されたモジュールとしてもよい。筺体の素材は、割れ難いことが望ましく、例えば、プラスチック、プラスチックにガラス繊維などの強化充填材を配合した複合材料、アルミニウム合金、鉄、マグネシウム合金等の金属、又は木材等が用いられる。上述のモジュールは、照明機器２のサイズに応じて、適宜の数が機器内に配置される。後付でモジュールをアドオンできる構成であってもよい。
【００４０】
制御部２３は、照明機器２の識別情報等を記憶する記憶部２３ａと、商用電源ＡＣ等の交流電圧を所望の直流電圧に変換する電流変換部２３ｂと、送受信部からのデータを解釈して制御信号を伝送する制御信号変換部２３ｃと、光源部２１に出力される駆動信号を出力する駆動信号変換部２３ｄと、を備える。
【００４１】
記憶部２３ａは、汎用の照明制御用マイコン及びメモリから構成され、照明機器２の識別情報をやシステム内の所属系統に関する情報等を記憶する。例えば、ディップスイッチなどで設定された情報を記憶する。照明機器２の識別情報として、グローバルＩＰアドレスやＭＡＣアドレスのように照明機器固有の識別情報が組み込まれていてもよい。
【００４２】
電流変換部２３ｂは、所定の電流を供給するためのスイッチ回路及び変圧回路等から構成される。この電流変換部２３ｂは、１次電池又は２次電池に置き換えられてもよく、電池から所定の直流電力が供給されてもよい。これは、移動型の照明機器２ｄ、２ｅ（図１参照）に好適である。これらの電池の容量は、照明機器２で消費される電力量に応じて選定される。２次電池は、例えば、充電器（送電側）と、充電池（受電側）の夫々にコイルを搭載し、両者の間に、金属端子を介さずに、コイル間の電磁誘導で電力を非接触で伝送する構成であってもよい。こうすれば、移動型の照明機器２を使用していない場合には、充電器に置くだけで、充電できるので利便性が向上する。
【００４３】
ここで、コントローラ３と照明機器２（図３の照明機器Ａ、Ｂ）との間でなされるデータ送受信のフローについて、上述した図３に加えて、図６を参照して説明する。コントローラ３は、操作部（表示部３１）において照明機器２が選定され、また、この照明機器２の点灯情報が設定されると、リンクしている全ての照明機器２に対して、それらの識別情報と点灯情報とを送信する。一方、照明機器２では、制御部２３の制御信号変換部２３ｃが、送受信部２２が受信した制御信号に含まれる照明機器２の識別情報と、記憶部２３ａに記憶されている自身の識別情報との比較を行う。ここで、各識別情報が一致すれば後述の処理を行い、一致しなければ処理を行わない。
【００４４】
次に、制御信号変換部２３ｃは、送受信部２２から受信した制御信号のうち、照明機器２の点灯情報が調光率情報といった１つの点灯情報のみ受信した場合、調光率情報を制御信号として、ＰＷＭ信号オンデューティ比に変換して、駆動信号変換部２３ｄに出力する。そして、駆動信号変換部２３ｄは、光源部２１を点灯駆動させるＤｕｔｙ信号を出力する。また、所定時間内に受信情報の変更があれば、上述した各識別信号を比較し、同様の動作を行なう。一方、所定時間内に受信情報の変更がなければ、スリープモードとなり、一定のＤｕｔｙ信号に基づいて光源部２１を持続的に点灯させる。
【００４５】
より具体的には、制御信号変換部２３ｃは、受信情報に含まれる照明機器２の点灯情報が、調光率情報といった１つの点灯情報のみである場合、調光率情報を制御信号として、ＰＷＭ信号オンデューティ比に変換して、駆動信号変換部２３ｄに出力する。また、制御信号変換部２３ｃは、受信情報に含まれる照明機器２の点灯情報が、調光率情報及び色温度情報といった２つ以上の夫々独立した点灯情報である場合、調光率情報と色温度情報を制御信号として、パケットデータ信号に変換して、駆動信号変換部２３ｄに出力する。
【００４６】
制御器４の構成について、再び図３を参照して説明する。制御器４は、コントローラ３と同様、所定の属性情報を表示する表示部４１と、上記属性情報を記憶する記憶部４２と、照明機器２及びコントローラ３に属性情報を含む制御信号を送受信する送受信部４３と、を備える。表示部４１は、タッチパネルであり、操作指示を検知する操作部が一体化されている。また、制御器４は、操作部により検知された操作指示の位置を示す座標情報を取得する入力処理部４４と、上記表示部４１等を駆動し、送受信部４３における制御信号の送受信を制御する制御部４５と、を備える。更に、制御器４は、特定の送受信部を有していない照明機器Ｄを調光制御するための調光信号出力部４６を備える。
【００４７】
次に、コントローラ３と照明機器２（図３の照明機器Ｂ、Ｃ）との間に制御器４を介してなされるデータ送受信のフローについて、上述した図３に加えて、図７を参照して説明する。このフローは、制御器４が、リンクしている照明機器２に対して、それらの識別情報と点灯情報とを送信する。リンク対象は、全ての照明機器２であってもよく、所定の照明機器２に限定されていてもよい。他の動作は、上記図６に示したフローと同様である。この図７に示したフローは、例えば、照明機器Ｂが、既存の制御器４によっても点灯制御できる場合、又は照明機器Ｃが、制御器４と有線接続されている場合に適用される。
【００４８】
次に、コントローラ３と照明機器２（図３の照明機器Ｄ）との間に制御器４を介してなされるデータ送受信のフローについて、上述した図３に加えて、図８を参照して説明する。上記図６、図７に示したフローでは、送受信部２２が受信した制御信号に含まれる照明機器２の識別情報と、記憶部２３ａに記憶されている自身の識別情報との比較が、照明機器２で行なわれた。これに対して、図８に示したフローでは、上記比較が、制御器４で行なわれ、制御器４の調光信号出力部４６が、有線接続された特定の照明機器Ｄに対して、直接的に所定の調光信号を出力する。すなわち、照明機器Ｄは、特定の通信端末（送受信部）や、各種制御情報を比較する高度な制御部を有しておらず、従来の調光器によって入力された調光率に応じて光源部２１を点灯させる従来型の照明機器である。
【００４９】
次に、照明システム１におけコントローラ３を用いた照明機器２のシーン再生の手順について、図９乃至図１４を参照して説明する。まず、ユーザが、コントローラ３を操作して、内蔵された照明システム用のソフトウェア「ＬＩＧＨＴ  ＮＡＶＩ」を起動すると、コントローラ３の表示部３１には、図９に示すようなメニュー画面が表示される。このメインメニュー画面には、メインコマンドとして「シーン再生」「スケジュール」「お好み手動」が、サブコマンドとして「詳細設定」「状態確認」が表示される。
【００５０】
ユーザが「シーン再生」コマンドを指でタッチすると、表示部３１は、図１０に示すように、シーン操作画面を表示する。このシーン操作画面には、シーン設定情報を示す絵記号（アイコン及び文字）が配列表示される。シーン設定情報には、対象エリアにおける所定の照明機器２の調光率及び色温度といった点灯状態を変化させるための状態変化パターンに関する情報が含まれる。また、状態変化パターンとは、所定の目的に応じてシーンを演出するために割り当てられた照明機器２の各種点灯条件をパターン化したものである。この状態変化パターンに関するシーン設定情報には、夫々の目的に応じた名称（愛称）が付けられる。なお、以下の説明において、各種点灯条件として調光率及び色温度を例として挙げるが、各種点灯条件には、例えば、照明機器２の属性に応じて、例えば、光軸の向きや照明光の照射範囲も含まれる。
【００５１】
各シーン設定情報に割り当てられる照明機器２は、図９に示したメニュー画面から詳細設定ボタンを選び、更に、照明シーンの設定（不図示）を選べば、図１０に示したシーン操作画面と同様の画面が表示される。そして、この画面で、設定したいシーンに対応する絵記号を選べば、対象エリアに配された照明機器２を表示した第１の操作画面が表示される。そして、この第１操作画面において、照明機器２の識別情報を示す第１の図形をタッチすれば、その第１の図形が枠で囲われると共に、その図形に示される照明機器２がシーン設定情報に割り当てられる。
【００５２】
シーン設定情報には、「通常（省エネ）」、「全消灯」、「くつろぎ」、「お酒を飲む」、「音楽を聴く」等を目的として規定された状態変化パターンに関する情報を含み、図１０に示したように、表示部３１には、各シーン設定情報を示す絵記号が表示される。また、シーン設定情報には、後述する図１４に示すうように、「ただいま」「絵を描く」等も挙げられる。シーン設定情報は、上述した外部サーバ５からダウンロードでき、また、ユーザが個別に作製することもできる。
【００５３】
ユーザが表示部３１に表示されたシーン操作画面の中の絵記号をタッチすると、コントローラ３は、その絵記号に対応するシーン設定情報を選定し、照明機器２において実現される状態変化パターンを確定する。なお、入力処理部３４は、絵記号が表示された位置だけでなく、その周辺がタッチされた場合でも、その絵記号がタッチされたものと判断する。このように、ユーザが絵記号（及びその周辺）をタッチして、その絵記号に対応するシーン設定情報が選定されると、表示部３は、図１０に示したように、その絵記号（ここでは「くつろぎ」）をシーン操作画面の中央に配置してハイライト表示する。また、タッチされた絵記号が白枠で囲われる。これにより、ユーザは選定されたシーン設定情報を一目で確認することができる。
【００５４】
また、入力処理部３４は、表示部３１（操作部）により検知された操作指示の移動距離及び移動速度を計測し、表示部３１は、シーン操作画面において、操作指示の移動距離及び移動速度に応じて、シーン設定情報を示す絵記号をスクロール表示する。つまり、図１０に示したように、ユーザが、シーン操作画面内を指でタッチした状態で指を移動させると、その移動方向に各絵記号がスクールする。こうすれば、シーン設定情報が多数あって、全てのシーン設定情報を示す絵記号をシーン操作画面内に同時には表示できない場合であっても、ユーザは、それらをスクロールさせることで所望のシーン設定情報を選定することができる。
【００５５】
ここで、記憶部３２は、シーン設定情報を示す絵記号の選定回数を記憶する。そして、表示部３１は、記憶部３２が記憶したシーン設定情報を示す絵記号の選定回数に応じて、その絵記号をシーン操作画面に優先的に表示させる。ここで言う優先順位は、配列された複数の絵記号の先頭であっても、それらの中央であってもよいが、表示部３１にメニュー画面からシーン設定画面へと移行したときに最もユーザの目につく位置であることが好ましい。こうすれば、メニュー画面からシーン操作画面に移行したときに、最初に使用頻度の高いシーン設定情報を示す絵記号が表示されるので、スクロールの手間が省けて操作性が良くなる。
【００５６】
また、表示部３１は、向きセンサ３６が検知したコントローラ３の向きに応じて、シーン操作画面に含まれるシーン操作情報を示す絵記号の配列方向を変化させる。本例において、表示部３１は長方形であり、シーン操作情報は、表示部３１の長辺方向の沿って表示される。コントローラ３が、表示部３１の長辺方向が横向きになるように保持されたとき、図１１に示したように、絵記号の配列方向を横方向とする。一方、コントローラ３が、表示部３１の長辺方向が縦向きになるように保持されたとき、図１２に示すように、絵記号の配列方向を縦方向とする。なお、コントローラ３が縦向きに保持されたとき、シーン操作画面以外のロゴや各種ボタンも、縦向きに対応するように表示部３１に表示される。こうすれば、同時に表示されるシーン操作情報を示す絵記号を多くすることができる。
【００５７】
シーン再生が行なわれるとき、照明機器２の点灯状態がシーン再生前のものから変化する。このとき、照明機器２の点灯状態が急激に変化すると、照明機器２の点灯状態がユーザに不快感を与えることがある。そこで、シーン再生時には、シーン再生前からシーン再生完了までに所定の時間をかけて照明機器２の点灯状態を変化させる移行時間が設けられる。この移行時間は、夫々のシーン設定情報毎に、標準移行時間が設定されている。例えば、通常点灯から全消灯させる場合には、約１０秒の標準移行時間を設けて、ユーザが周囲の明るさの変化に対応できるようにする。一般的には、調光率が高いときは、シーン再生時の変化幅が大きくなるので、移行時間が長くなり、一方、調光率が低いときは、移行時間が短くなる。
【００５８】
本例においては、入力処理部３４は、表示部３１（操作部）により検知された操作指示位置の接触時間を計測し、シーン操作画面において操作指示により再生対象となるシーン設定情報を示す絵記号を接触する接触時間に応じて、移行時間を変更する。例えば、ユーザが、シーン操作画面の絵記号を２秒以上の長押ししたとき、移行時間は押し時間に応じて標準移行時間よりも長く設定される。一方、ユーザが、シーン操作画面の絵記号をダブルタチしたとき、移行時間は標準移行時間よりも短く設定される。つまり、シーン再生時の移行時間は、選定されたシーン設定情報における標準移行時間が、ユーザによる絵記号のタッチ時間に応じて調整されることにより確定される。
【００５９】
記憶部３２は、図１３（ａ）に示すように、状態変化パターンに関するシーン設定情報に基づいて照明機器２を点灯させるまでの移行時間と、照明機器２の２種の点灯条件のいずれか一方に関する点灯情報と、を対応づけて規定した第２の点灯条件カーブを記憶している。図１３（ａ）は、上記移行時間と、照明機器２の調光率に関する点灯情報と、を対応づけて規定した３種の第２の点灯条件カーブ（調光率カーブＡ，Ｂ，Ｃ）を示す。調光率カーブＡは、相対的に低い調光率において時間当たり調光率の変化幅が大きく、相対的に高い調光率において時間当たり調光率の変化幅が小さくなるように規定されている。この調光率カーブＡは、例えば、ユーザの帰宅時に照明機器２を速やかに点灯させたいときに適している。調光率カーブＢは、調光率が移行時間を通じて一定に変化するように規定されており、標準的な使用に適している。調光率カーブＣは、相対的に高い調光率において時間当たり調光率の変化幅が大きく、相対的に低い調光率において時間当たり調光率の変化幅が大きくなるように規定されている。この調光率カーブＣは、例えば、ユーザがリビングでくつろいでいて、照明機器２を緩やかに減灯させたいときに適している。
【００６０】
また、記憶部３２は、上述したように、照明機器２の２種の点灯条件（調光率及び色温度）を互いに対応づけて規定さた第１の点灯条件カーブを記憶している（図１３（ｂ））。制御部３５は、ユーザの操作指示により移行時間が確定されると、第２の点灯条件カーブに従って照明機器２の一方の点灯条件（ここでは調光率）を選定する。更に、制御部３５は、この一方の点灯条件（調光率）が設定されると、第１の点灯条件カーブに従って他方の点灯条件（色温度）を自動的に選定する。つまり、ユーザは、表示部３１に表示されたシーン設定情報を示す絵記号を選択して、その絵記号をタッチする時間を調整するだけで、シーン再生完了までの移行時間だけでなく、シーン再生時の調光率及び色温度が自動的に設定される。従って、照明機器２の点灯情報の設定に慣れていない一般ユーザでも、簡単に、直感的にシーン再生時の調光率及び色温度を設定することができる。
【００６１】
また、記憶部３２は、図１４（ａ）に示すように、各シーン設定情報、それらに割り当てられたシーン番号、夫々に適用される第２の点灯条件カーブ、及び夫々の標準移行時間をテーブル化して記憶している。第２の点灯条件カーブ（Ａ〜Ｃ）は、各シーン設定情報に適するように設定されている。更に、記憶部３２は、図１４（ｂ）に示すように、各シーン設定情報に割り当てられたシーン番号と、そのシーン番号に対応するシーン再生が行なわれる対象エリアと、その対象エリアにおける照明機器２の識別情報、及びそれらの点灯情報をテーブル化して記憶している。例えば、ユーザが家全体の照明機器２を全消灯させたいとき、図１０に示した「全消灯」の絵記号をダブルタッチすると、標準移行時間（１０秒（図１４（ａ）参照））よりも短い時間、例えば５秒で全消灯が完了する。
【００６２】
また、シーン操作画面においてユーザの操作指示により再生対象となるシーン設定情報を示す絵記号を接触する接触時間と、向きセンサ３６が検知したコントローラ３の向きに応じて、移行時間を変更する。例えば、コントローラ３がユーザによって縦向きに持たれていたとする。このとき、ユーザは動的状態、例えば、歩行中又は移動中である蓋然性が高い。そこで、制御部３５は、移行時間を、上記のようにして確定された移行時間よりも短く設定して、シーン再生のレスポンスをリアルタイムに近づけるようにする。一方、コントローラ３がユーザによって横向きに持たれていたとする。このとき、ユーザは静的状態、例えば、椅子に座って休んでいるいる蓋然性が高い。そこで、制御部３５は、移行時間を、上記のようにして確定された移行時間よりも長く設定し、シーン再生のレスポンスをユーザに気づかれない遅いスピードにする。つまり、コントローラ３の保持状態に応じてシーン再生完了までの移行時間を調整することで、移行時間の最適化を図ることができる。
【００６３】
ここで、コントローラ３と照明機器２（図３の照明機器Ａ、Ｂ）との間でなされるデータ送受信のフローについて、上述した図３に加えて、図１５乃至図１７を参照して説明する。コントローラ３は、操作部（表示部３１）においてシーン設定情報が選定されると、そのシーン設定情報を示す図形と、そのシーン設定情報が適用される対象エリアを示す第１の図形を含む第１の操作画面を表示する（図１６参照）。なお、図１６に示す第１の操作画面は、図４に示した第１の操作画面と同一の対象エリアにおいて視点を切り替えたものである。コントローラ３は、シーン設定情報が選定されると、選定されたシーン設定情報に基づく状態変化パターンを確定する。そして、選定されたシーン設定情報に関係づけられる照明機器２に対してそれらの識別情報（ＩＤ）、点灯情報、移行時間及び第２の点灯条件カーブの種類を送信する。一方、照明機器２では、制御部２３の制御信号変換部２３ｃが、送受信部２２が受信した制御信号に含まれる照明機器２の識別情報と、記憶部２３ａに記憶されている自身の識別情報との比較を行う。ここで、各識別情報が一致すれば後述の処理を行い、一致しなければ処理を行わない。
【００６４】
次に、制御信号変換部２３ｃは、送受信部２２から受信した制御信号のうち、例えば、照明機器２の点灯情報が調光率情報を含む点灯情報を受信した場合、調光率情報を制御信号として、ＰＷＭ信号オンデューティ比に変換して、駆動信号変換部２３ｄに出力する。そして、駆動信号変換部２３ｄは、光源部２１を点灯駆動させるＤｕｔｙ信号を出力する。他の点灯情報についても同様である。また、所定時間内に受信情報の変更があれば、上述した各識別信号を比較し、同様の動作を行なう。一方、所定時間内に受信情報の変更がなければ、スリープモードとなり、一定のＤｕｔｙ信号に基づいて光源部２１を持続的に点灯させる。
【００６５】
このようにして、照明機器２は、コントローラ３と送受信した制御信号のうち、識別情報に基づいて自身が制御対象であるか否かを判定し、シーン設定情報に応じて所定の状態変化パターンに従って点灯する。図１７（ａ）（ｂ）は、照明システム１を採用したリビングにおいて、シーン再生が行なわれる前後のシーンのイメージを示す。ここで、図１７（ａ）に示したシーンでは、通常点灯が行なわれるいるものとする。なお、図１７（ａ）に照明機器２等の符号を示し、図１７（ｂ）は符号の図示を省略した。
【００６６】
図１７（ａ）に示したシーンでは、天井に設けられた多数のダウンライト（照明機器２ａ〜２ｆ）が比較的高い調光率で点灯しており、リビング空間が明るく照明されている。この状態で、ユーザがコントローラ３を用いて、「くつろぎ」のシーン設定情報を示す絵記号をダブルタッチしたとする。このとき、移行時間は、「くつろぎ」のシーン設定情報における標準移行時間よりも短く設定されるので、照明機器２の調光率は低く（図１３（ａ）参照）、色温度も低く（図１３（ｂ）参照）設定される。コントローラ３からは、「くつろぎ」のシーン設定情報に割り当てられた照明機器２（例えば、照明機器２ｇ〜２ｌ）の識別情報と、上記のようにして設定された点灯情報とが照明機器２へ向けて出力される。自身の識別情報を確認した照明機器２は、受信した点灯情報に従って、上記の例においては、比較低短い移行時間で点灯する。例えば、図１７（ｂ）に示すシーンように、ライトスタンド（照明機器ｉ）、床置照明（照明機器２ｊ）、スポットライト（照明機器２ｋ、２ｌ）のような部分照明等が、穏やかに「くつろぎ」のシーンを実現する調光率及び色温度で点灯する。
【００６７】
このように、照明システム１によれば、コントローラ３の表示部３１に表示されたシーン操作画面において、シーン設定情報を示す絵記号に対して操作指示がなされると、所定のシーン設定情報が選定される。また、表示部３１には割り当てられた照明機器２の状態変化パターンが図形化して表示される。そのため、一般ユーザであっても、シーン設定情報を示す絵記号を操作するだけで、シーン設定情報を、照明機器が配された対象エリアをイメージしながら直感的に行なうことができる。なお、上述した説明では、確定された移行時間に応じて「調光率」が先に自動設定されるものとして説明したが、「色温度」が先に自動設定された後、第１の点灯条件カーブに基づいて「調光率」が設定されてもよい。
【００６８】
また、シーン設定情報は、そのシーン設定情報に割り当てられた照明機器２を一斉に点灯させるだけでなく、それらの照明機器２を個別に所定の時間単位で点灯させる点灯条件パターンを含む。例えば、「ただいま」のシーン設定情報が選定されると、図１８（ａ）乃至（ｃ）に示すように、エントランス（玄関アプローチから、外玄関、内玄関及び屋内通路）周りに夫々配された照明機器を、ユーザの帰宅ルートに沿って順次点灯させる。
【００６９】
なお、コントローラ３と照明機器２（図３の照明機器Ｂ、Ｃ）との間に制御器４を介してなされるデータ送受信のフローを、図１９に示す。このフローは、コントローラ３は、制御器４に対して、選定されたシーン設定情報のシーン番号と、ユーザのタッチ操作により確定された移行時間を送信する。そして、制御器４が、シーン設定情報に割り当てられた照明機器２に対して、それらの識別情報及び点灯情報等を送信する。他の動作は、上記図１５に示したフローと同様である。
【００７０】
ここで、コントローラ３を用いて照明機器２の点灯条件を個別に手動で設定する手順について、図２０乃至図２５を参照して説明する。図２０に示すように、ユーザが「お好み手動」コマンドを指でタッチすると、表示部３１は、図２１に示すように、第１の操作画面を表示する。第１の操作画面には、図１に示した照明システム１内の照明機器２ａ〜２ｈのｘｙｚ座標系を、照明機器２が配された部屋の３次元空間上に配置した第１の図形と、照明機器２の調光率及び色温度を設定するための「色温度」ボタン及びＲＧＢ系から色度等を設定するための「ＲＧＢ」ボタンと、が表示される。
【００７１】
第１の操作画面が表示された表示部３１（操作部）において、ユーザが、制御対象とする照明機器２を現した画像をタッチすると、その照明機器２が枠線で囲われる。このとき、枠線近傍に照明機器２の識別情報を示す文字（図例では名称）がポップアップ表示される。続いて、ユーザが「色温度」ボタンをタッチすると、枠線で囲われていた照明機器２が制御対象として指定される。なお、「色温度」ボタンをタッチする前に、枠線で囲われていた照明機器２を再度タッチすると、枠線が消え、その照明機器２の指定が解除される。
【００７２】
制御対象の照明機器２が指定されると、図２２に示すように、表示部３１は、この照明機器２の点灯情報を設定するための第２の操作画面を、第１の操作画面上に重畳させるようにダイアログ表示する。第２の操作画面には、回転式のボリュームコントローラを画像化したコントロールボタンと、調光率と色温度とを対応づけた調光調色カーブ（第１の点灯条件カーブ）が描かれた色温度テーブルと、が第２の図形として表示される。また、第２の操作画面には、設定タイトル名を表示するタイトルバーと、第２の操作画面を終了するための閉じるボタンが表示される。
【００７３】
第２の操作画面が表示された表示部３１（操作部）において、ユーザが、コントロールボタンを回すようにタッチ操作すると、色温度テーブルに描かれた調光調色カーブに沿うように、指定された照明機器２の調光率及び色温度といった点灯情報が変化する。そして、ユーザが、コントロールボタンを回すタッチ操作を停止すると、そのときの調光率及び色温度が、指定された照明機器２の点灯情報として設定される。
【００７４】
具体的には、図２３（ａ）（ｂ）に示すように、ユーザの指のタッチ（操作指示）が、コントロールボタンの円形中心点の周りを回転するように移動したとき、その回転角度に応じて設定される点灯情報が変化する。ここでは、コントロールボタンの回転角度αと、調光調色カーブの長さβとが、一定の比率となるように対応している。なお、コントロールボタンの回転角度αと調光率の変化幅とが一定の比率となるように対応させてもよく、これとは反対に、コントロールボタンの回転角度αと色温度の変化幅とが一定の比率となるように対応させてもよい。
【００７５】
ここで、調光率と色温度は、第２の操作画面において、色温度テーブルに描かれた調光調色カーブに沿って変化する。照明光の色温度と照度との間には、クルーゾフ効果と呼ばれる法則があることが知られている。この法則によれば、色温度の低い光は、照度が低いと穏やかで暖かい快適な印象を与え、照度がある程度より高くなると、逆に暑苦しい感じがして、不快感を覚える。一方、色温度の高い光は、照度が高いと爽やかでスッキリした快適な印象を与えるが、照度が低くなると、逆に寒々しく陰気な感じがして不快感を覚えるようになる。また、照度毎に最も快適な色温度が得られるように、照度と色温度とを規定したクルイトフ・カーブが知られている。このクルイトフ・カーブは、低色温度帯（3000k以下）では色温度の変化に対する調光率の変化が少なく、中色温度帯（3000〜5000k程度）になるに従って色温度の変化に対する調光率の変化が大きくなる。そして、高色温度帯（5000k以上）では調光率の変化に対して色温度の変化が大きくなる。
【００７６】
このようなクルイトフ・カーブを、色温度テーブルの調光調色カーブとして用いれば、ユーザが、第２の操作画面のコントロールボタンを回転させるタッチ操作を行うだけで、快適性を与え得る調光率と色温度とが自動的に設定される。なお、上記クルイトフ・カーブは、調光調色カーブの一例であり、例えば、調光率と色温度とが正比例するように調光調色カーブ（直線）が設定されてもよい。また、低色温度帯では色温度の変化に対する調光率の変化が大きく、中色温度帯から高色温度帯では色温度の変化に対する調光率の変化が小さくなる調光調色カーブが設定されてもよい。これらの調光調色カーブは、コントローラ３の記憶部３２に記憶され、また、図３に示した外部サーバ５から用途に応じた調光調色カーブをダウンロードすることができ、更には、ユーザ自身が個別に設定することもできる。また、コントロールボタンの回転角度αと、調光率又は色温度の変化幅とが一定の比率となるように対応させれば、調光率又は色温度の一方が選定されると、調光調色カーブに従って他方の色温度情報又は調光率情報が自動的に選定されるので、操作回数が少なく、利便性が良くなる。
【００７７】
続いて、ユーザが第２の操作画面を閉じると、図２４に示すように、表示部３１は、第１の操作画面において、指定された照明機器２の画像を、照明機器２が設定された調光率及び色温度で点灯しているようにハイライト表示する。このとき、表示部３１は、照明機器２の画像だけでなく、照明機器２の周囲のエリアに相当するエリア情報もハイライト表示する。つまり、第２の操作画面により設定された点灯情報が、第１の操作画面において視覚的に反映される。
【００７８】
また、図２１に示した第１の操作画面において、ユーザが「ＲＧＢ」ボタンをタッチすると、表示部３１は、図２５に示すように、ＲＧＢ系から色度等を設定するための第２の操作画面を、第１の操作画面上に重畳するように表示する。この第２の操作画面には、第２の図形として、ユーザにより選択されるる照明光の光色（選択色）表示欄と、色度、彩度、及び明度を夫々色彩表示した水平バーと、照明機器２の調光率を表示する垂直バーと、有する。この第２の操作画面においても、ユーザが上記各水平バー及び垂直バーが表示された部分をタッチすると、その色度等が設定される。第２の操作画面が閉じられると、設定された色度等の点灯情報は、第１の操作画面中の照明機器２の画像及びその周囲のエリアの表示に反映される。この第２の操作画面では、色度等の各パラメータが彩色表示されるので、ユーザは、照明光の色度を、例えば、数値で示されるよりも、より直感的に設定することができる。また、第２の操作画面には、多数のパラーメータ（点灯情報）一括して表示されているので、ユーザの嗜好に応じて、各点灯情報を個別具体的に設定することができる。また、第２の操作画面を閉じた後の第１の操作画面では、照明機器２の周囲のエリアの色合いも、照明機器２の点灯情報に応じて変化するので、ユーザは照明によって演出された空間を、より具体的にイメージすることができる。
【００７９】
このように、照明システム１では、コントローラ３の表示部３１に、第１の操作画面により、照明機器２が配されたエリアを含むエリア情報を３次元的に表示させてから、その上に各照明機器２の点灯情報を設定するための第２の操作画面をダイアログ表示させる。また、点灯情報が設定されると、第１の操作画面において照明機器の識別情報及びその周囲のエリア情報をハイライト表示させる。これにより、ユーザに対して、制御対象の照明機器２が配されたの空間（対象エリア）をイメージさせることができるので、一般のユーザが制御対象の照明機器２を直感的に選択し、その点灯状態等の照明属性情報を操作性よく設定することができる。
【００８０】
また、コントローラ３により設定された点灯情報、及び照明機器２の識別情報が、コントローラ３から出力される制御信号に取り込まれて、この制御信号が、直接又は制御器４を介して各照明機器２に向けて出力される。照明機器２は、図６乃至図８で示したフローに従って、受信した制御信号から上記点灯情報を読み出し、この点灯情報に基づいて光源部２１を点灯させる。これにより、コントローラ３でバーチャル表示されていた照明機器１の点灯情報が、現実の照明機器２において実現される。
【００８１】
なお、本発明は上記実施形態に限らず種々の変形が可能である。例えば、照明機器２の記憶部２３ａには、その照明機器２の識別情報として、予め照明機器２を表す図形等を記憶しており、この識別情報をコントローラ３にアップデートするように構成されていてもよい。また、コントローラ３が、ＧＰＳ等により自己位置検出手段を有し、コントローラ３を持つユーザが存在する部屋を自動的に割り出し、ユーザが部屋選択を行なうことなく、第１の操作画面を展開できるようにしてもよい。更に、図１８で示した「ただいま」のシーン設定情報については、屋外に設けられた人感センサ付き照明機器（不図示）とコントローラ３が同期しており、この人感センサ付き照明機器の検知信号をトリガとしてシーン再生が行なわれるようにしてもよい。
【符号の説明】
【００８２】
１    照明システム
２    照明機器
３    コントローラ
３１    表示部（操作部）
３２    記憶部
３３    送受信部
３５    制御部
３６    向きセンサ
４    制御器
【図１】
2014072083.tif 000003
【図２】
2014072083.tif 000004
【図３】
2014072083.tif 000005
【図４】
2014072083.tif 000006
【図５】
2014072083.tif 000007
【図６】
2014072083.tif 000008
【図７】
2014072083.tif 000009
【図８】
2014072083.tif 000010
【図９】
2014072083.tif 000011
【図１０】
2014072083.tif 000012
【図１１】
2014072083.tif 000013
【図１２】
2014072083.tif 000014
【図１３】
2014072083.tif 000015
【図１４】
2014072083.tif 000016
【図１５】
2014072083.tif 000017
【図１６】
2014072083.tif 000018
【図１７】
2014072083.tif 000019
【図１８】
2014072083.tif 000020
【図１９】
2014072083.tif 000021
【図２０】
2014072083.tif 000022
【図２１】
2014072083.tif 000023
【図２２】
2014072083.tif 000024
【図２３】
2014072083.tif 000025
【図２４】
2014072083.tif 000026
【図２５】
2014072083.tif 000027